(57)【要約】      （修正有）【課題】扁平導体を被覆部材で覆った配線部材に、他の配線部材を容易に接続できるようにすることを目的とする。【解決手段】配線モジュールは、扁平導体２２、２４と、扁平導体２２、２４を覆う被覆部２６とを有する配線部材２０と、配線接続装置３０とを備える。配線接続装置３０は、第１支持部３４と、第２支持部３６と、第１支持部３４と第２支持部３６とをそれらの間に配線部材２０を配設可能な間隔をあけた状態で支持する連結部３８とを有し、第１支持部３４と第２支持部３６との少なくとも一方にネジ孔３４ｈ、３６ｈが形成された接続状態支持フレーム３２と、導電材料により形成され、ネジ孔３４ｈ、３６ｈに螺合可能に形成されると共に、先端部に被覆削り部４２が形成され、ネジ孔３４ｈ、３６ｈに螺合締付けされた状態で、被覆部２６を貫いて扁平導体２２、２４に接した状態となっている、雄ネジ接続部材４０とを備える。【選択図】図５
2018041548.tif 000002
【特許請求の範囲】
【請求項１】
扁平導体と、前記扁平導体を覆う被覆部とを有する配線部材と、
前記配線部材の一方主面側に配設された第１支持部と、前記配線部材の他方主面側に配設された第２支持部と、前記第１支持部と前記第２支持部とをそれらの間に前記配線部材を配設可能な間隔をあけた状態で支持する連結部とを有し、前記第１支持部と前記第２支持部との少なくとも一方にネジ孔が形成された接続状態支持フレームと、
導電材料により形成され、前記ネジ孔に螺合可能に形成されると共に、先端部に前記被覆部を削る被覆削り部が形成され、前記ネジ孔に螺合締付けされた状態で、前記被覆部を貫いて前記扁平導体に接した状態となっている、雄ネジ接続部材と、
を備える配線モジュール。
【請求項２】
請求項１に記載の配線モジュールであって、
前記雄ネジ接続部材が、前記ネジ孔に螺合締付けされた状態で、前記接続状態支持フレームの外側に露出しており、その露出部分に他の配線部材が接合されている、配線モジュール。
【請求項３】
請求項１又は請求項２に記載の配線モジュールであって、
前記配線部材は、絶縁層を介して隔てられた２層の前記扁平導体を有し、
前記第１支持部と前記第２支持部との両方に前記ネジ孔が形成され、
前記第１支持部の前記ネジ孔と前記第２支持部の前記ネジ孔のそれぞれに、前記雄ネジ接続部材が螺合締付けられている、配線モジュール。
【請求項４】
請求項１から請求項３のいずれか１項に記載の配線モジュールであって、
前記雄ネジ接続部材は、前記雄ネジ接続部材が前記ネジ孔に螺合締付けされた状態で、前記接続状態支持フレームの外側に突出する非円形状のネジ締め頭部を有する、配線モジュール。
【請求項５】
第１支持部と、第２支持部と、前記第１支持部と前記第２支持部とをそれらの間に間隔をあけた状態で支持する連結部とを有し、前記第１支持部と前記第２支持部との少なくとも一方にネジ孔が形成された接続状態支持フレームと、
導電材料により形成され、前記ネジ孔に螺合可能に形成されると共に、先端部に被覆削り部が形成された雄ネジ接続部材と、
を備える配線接続装置。
【発明の詳細な説明】
【技術分野】
【０００１】
この発明は、扁平導体を含む配線部材に、他の配線部材を接続するための技術に関する。
【背景技術】
【０００２】
特許文献１は、バッテリ配線として、バスバーを用いる技術を開示している。
【先行技術文献】
【特許文献】
【０００３】
【特許文献１】独国実用新案第２０２０１５１０３８５４号明細書
【発明の概要】
【発明が解決しようとする課題】
【０００４】
ところで、バスバーをバッテリ配線として用いる際、通常、当該バスバーは樹脂等で被覆される。かかるバスバーに対して他の配線部材を接続するためには、被覆を除去して、他の配線部材の導体をバスバーに接続する必要がある。このため、被覆付バスバーに対して他の配線部材を接続する作業は面倒であった。
【０００５】
そこで、本発明は、扁平導体を被覆部材で覆った配線部材に、他の配線部材を容易に接続できるようにすることを目的とする。
【課題を解決するための手段】
【０００６】
上記課題を解決するため、第１の態様に係る配線モジュールは、扁平導体と、前記扁平導体を覆う被覆部とを有する配線部材と、前記配線部材の一方主面側に配設された第１支持部と、前記配線部材の他方主面側に配設された第２支持部と、前記第１支持部と前記第２支持部とをそれらの間に前記配線部材を配設可能な間隔をあけた状態で支持する連結部とを有し、前記第１支持部と前記第２支持部との少なくとも一方にネジ孔が形成された接続状態支持フレームと、導電材料により形成され、前記ネジ孔に螺合可能に形成されると共に、先端部に前記被覆部を削る被覆削り部が形成され、前記ネジ孔に螺合締付けされた状態で、前記被覆部を貫いて前記扁平導体に接した状態となっている、雄ネジ接続部材とを備える。
【０００７】
第２の態様は、第１の態様に係る配線モジュールであって、前記雄ネジ接続部材が、前記ネジ孔に螺合締付けされた状態で、前記接続状態支持フレームの外側に露出しており、その露出部分に他の配線部材が接合されているものである。
【０００８】
第３の態様は、第１又は第２の態様に係る配線モジュールであって、前記配線部材は、絶縁層を介して隔てられた２層の前記扁平導体を有し、前記第１支持部と前記第２支持部との両方に前記ネジ孔が形成され、前記第１支持部の前記ネジ孔と前記第２支持部の前記ネジ孔のそれぞれに、前記雄ネジ接続部材が螺合締付けられているものである。
【０００９】
第４の態様は、第１から第３のいずれか１つの態様に係る配線モジュールであって、前記雄ネジ接続部材は、前記雄ネジ接続部材が前記ネジ孔に螺合締付けされた状態で、前記接続状態支持フレームの外側に突出する非円形状のネジ締め頭部を有するものである。
【００１０】
第５の態様に係る配線接続装置は、第１支持部と、第２支持部と、前記第１支持部と前記第２支持部とをそれらの間に間隔をあけた状態で支持する連結部とを有し、前記第１支持部と前記第２支持部との少なくとも一方にネジ孔が形成された接続状態支持フレームと、導電材料により形成され、前記ネジ孔に螺合可能に形成されると共に、先端部に被覆削り部が形成された雄ネジ接続部材とを備える。
【発明の効果】
【００１１】
第１の態様によると、雄ネジ接続部材をネジ孔に螺合させると、先端部の被覆削り部が被覆部を削り、扁平導体に達すると当該扁平導体に接触した状態に保たれる。このため、被覆部を容易に削って、雄ネジ接続部材を通じて、扁平導体を他の配線部材の扁平導体に容易に接続することができる。
【００１２】
第２の態様によると、接続状態支持フレームの外側に露出した雄ネジ接続部材の部分に、他の配線部材を容易に接続できる。
【００１３】
第３の態様によると、２層の扁平導体のそれぞれに、別々の雄ネジ接続部材を介して他の配線部材を接続することができる。
【００１４】
第４の態様によると、ネジ締め頭部を利用して、雄ネジ接続部材を容易にネジ孔に螺合締付けすることができる。
【図面の簡単な説明】
【００１５】
【図１】実施形態に係る配線モジュールを示す概略斜視図である。
【図２】配線部材に配線接続装置を接続する前の状態を示す概略斜視図である。
【図３】配線接続装置を配線部材に接続する手順を示す説明図である。
【図４】配線接続装置を配線部材に接続する手順を示す説明図である。
【図５】配線接続装置を配線部材に接続する手順を示す説明図である。
【図６】配線接続装置を配線部材に接続する手順を示す説明図である。
【発明を実施するための形態】
【００１６】
以下、実施形態に係る配線モジュール及び配線接続装置について説明する。
【００１７】
図１は配線モジュール１０を示す概略斜視図であり、図２は配線部材２０に配線接続装置３０を接続する前の状態を示す概略斜視図である。
【００１８】
配線モジュール１０は、配線部材２０と、配線接続装置３０と、他の配線部材としての電線５０とを備える。
【００１９】
配線部材２０は、扁平導体２２、２４と、被覆部２６とを備える。
【００２０】
扁平導体２２，２４は、長尺形状に形成されており、その長手方向に対して直交する面における横断面が扁平形状に形成されている。扁平導体２２、２４は、細長い帯状の金属板によって形成されている。扁平導体２２、２４の厚み寸法は、後述する被覆削り部４２が貫通してしまわないように、６．０ｍｍ〜１０．０ｍｍであることが好ましい。扁平導体２２、２４は、銅、銅合金、アルミニウム、アルミニウム合金などの材料によって形成される。扁平導体２２、２４には、スズやニッケルなどの金属めっきが施されていても良い。
【００２１】
ここでは、２層の扁平導体２２、２４が、絶縁層２８を介して隔てられている。もっとも、配線部材は、扁平導体を１つのみ備えていてもよいし、２層の扁平導体の間に他の扁平導体が設けられていてもよい。
【００２２】
被覆部２６は、上記扁平導体２２、２４を覆う絶縁部材である。被覆部２６は、例えば、扁平導体２２、２４の周囲に樹脂を押出被覆すること等によって形成される。被覆部２６のうち扁平導体２２、２４の間に介在する部分は、扁平導体２２、２４を電気的に絶縁する絶縁層２８としての役割を果す。もっとも、配線部材は、扁平導体を別々に被覆部で被覆したものを積層したものであってもよい。
【００２３】
かかる配線部材２０は、例えば、車両においてバッテリと、ＤＣ−ＤＣコンバータ、スタータ・ジェネレータ又はインバータ等とを電気的につなぐ電力計の配線部材として用いられることが好ましい。
【００２４】
配線接続装置３０は、接続状態支持フレーム３２と、雄ネジ接続部材４０とを備える。
【００２５】
接続状態支持フレーム３２は、樹脂等の絶縁性材料によって形成された部材であり、第１支持部３４と、第２支持部３６と、連結部３８とを備える。第１支持部３４と第２支持部３６とは、それらの間に配線部材２０を配設可能な間隔をあけた状態で、連結部３８によって支持されている。そして、第１支持部３４と第２支持部３６との間に配線部材２０を配設することで、第１支持部３４が配線部材２０の一方主面側に配設されると共に、第２支持部３６が配線部材２０の他方主面側に配設された状態に保たれる。
【００２６】
より具体的には、第１支持部３４と第２支持部３６とは直方体板状に形成されている。連結部３８は、直方体板状に形成されている。連結部３８の両端部に、第１支持部３４と第２支持部３６とが突設状態で支持されている。第１支持部３４と第２支持部３６とは、連結部３８の延在方向に対して直交する姿勢で、連結部３８から同一方向に突出するように支持されている。第１支持部３４の内向き面と第２支持部３６の内向き面との距離は、配線部材２０の厚み寸法以上、好ましくは、配線部材２０の厚み寸法と同じに設定される。
【００２７】
第１支持部３４と第２支持部３６には、その外向き面から内向き面に向けて貫通するネジ孔３４ｈ、３６ｈが形成されている。ネジ孔３４ｈ、３６ｈが貫通する方向は、第１支持部３４と第２支持部３６との間に配線部材２０を配設した状態で、当該配線部材２０の厚み方向と同じである。ネジ孔３４ｈ、３６ｈの内周面にはネジ溝が形成されており、雄ネジ接続部材４０が当該ネジ孔３４ｈ、３６ｈに螺合可能とされている。
【００２８】
ここでは、上記扁平導体２２、２４の両方に雄ネジ接続部材４０を接続するため、第１支持部３４と第２支持部３６の両方にネジ孔３４ｈ、３６ｈを形成しているが、扁平導体２２、２４の一方にのみ雄ネジ接続部材４０を接続する場合、単一の扁平導体を備えた配線部材の当該扁平導体に雄ネジ接続部材４０を接続するような場合等には、第１支持部３４と第２支持部３６の一方にのみネジ孔３４ｈ、３６ｈが形成されていてもよい。
【００２９】
雄ネジ接続部材４０は、導電材料によりにより形成される。雄ネジ接続部材４０は、例えば、銅、銅合金、アルミニウム、アルミニウム合金等の金属により形成される。
【００３０】
雄ネジ接続部材４０は、ネジ孔３４ｈ、３６ｈに螺合可能に形成されている。より具体的には、雄ネジ接続部材４０は、外周にネジ溝が形成された棒状部材に形成されている。
【００３１】
雄ネジ接続部材４０の先端部には、被覆部２６を削る被覆削り部４２が形成されている。ここでは、被覆削り部４２は、雄ネジ接続部材４０の先端部に形成された複数の錐体形状部分（ここでは、円錐形状部分）４３を有する。そして、被覆削り部４２を被覆部２６に押し当てた状態で、雄ネジ接続部材４０を回転させると、被覆削り部４２が被覆部２６を削っていき、内部の扁平導体２２、２４に向けて進んでいくようになり、やがて、被覆部２６を貫いて扁平導体２２、２４に接した状態となる（図５参照）。錐体形状部分４３を複数設けることで、複数の錐体形状部分４３のそれぞれが扁平導体２２、２４に接触することになり、雄ネジ接続部材４０と扁平導体２２、２４とをより確実に電気的に接続することができる。
【００３２】
被覆削り部４２の形状は上記例に限られない。例えば、被覆削り部は、雄ネジ接続部材の先端部にその径方向に沿って複数の切れ刃を形成したものであってもよい。
【００３３】
雄ネジ接続部材４０の長さ寸法は、ネジ孔３４ｈ、３６ｈの長さ寸法に、被覆部２６の厚み寸法を付加した寸法以上に設定されている。また、雄ネジ接続部材４０をネジ孔３４ｈ、３６ｈに螺合締付けした状態で、雄ネジ接続部材４０のうち接続状態支持フレーム３２の外側に突出する部分に非円形状のネジ締め頭部４４が形成されている。
【００３４】
より具体的には、雄ネジ接続部材４０のうち被覆削り部４２と反対側の端部に、ネジ締め頭部４４が形成されている。ここでは、ネジ締め頭部４４は、短い多角形柱状（ここでは、六角形柱状）に形成されている。このため、作業者の人手により、又は、工具を用いて、雄ネジ接続部材４０のネジ締め頭部４４を容易に回転させることができる。この観点からすると、ネジ締め頭部４４は、上記形状である必要は無く、例えば、蝶ネジの頭部形状、円柱の一部に外側に突出する部分を形成した形状等であってもよい。
【００３５】
また、ネジ締め頭部４４の外向き面は、平面状の接続面４４ｆに形成されており、雄ネジ接続部材４０をネジ孔３４ｈ、３６ｈに螺合締付けした状態で、当該接続面４４ｆは、接続状態支持フレーム３２の外側に露出している。このため、雄ネジ接続部材４０をネジ孔３４ｈ、３６ｈに螺合締付けした状態で、他の配線部材である電線５０を容易に接続できる。しかも、接続面４４ｆは、雄ネジ接続部材４０の軸方向に対して直交する平面に形成されているため、雄ネジ接続部材４０の軸方向に対して直交する各種方向に電線５０を引出した状態で、当該電線５０を接続面４４ｆに接続することも容易である。
【００３６】
電線５０は、金属等で形成された芯線の周囲に被覆部が押出被覆等された一般的な電線である。電線５０の端部で被覆部が除去され、露出芯線部５２が形成されている。この露出芯線部５２が接続面４４ｆに接続されている。露出芯線部５２と接続面４４ｆとの接続は、超音波接合、抵抗溶接、半田付等により行うことができる。また、電線の端部に孔が形成された端子（丸端子と呼ばれるもの等）を接続しておき、第１支持部３４又は第２支持部３６の外側で、端子の孔に雄ネジ接続部材４０を挿通し、雄ネジ接続部材４０を螺合締付けした状態で、ネジ締め頭部４４を当該端子に接触させるようにしてもよい。
【００３７】
もちろん、雄ネジ接続部材４０に接続される他の配線部材は、その他、バスバーと呼ばれる金属板状の配線部材等であってもよい。
【００３８】
上記配線接続装置３０を、配線部材２０に接続する手順について説明する。
【００３９】
まず、接続状態支持フレーム３２の２つのネジ孔３４ｈ、３６ｈのそれぞれに、雄ネジ接続部材４０を螺合させる。この際、被覆削り部４２がネジ孔３４ｈ、３６ｈの内側に突出しない程度としておくとよい。
【００４０】
そして、図３に示すように、第１支持部３４と第２支持部３６との間に、配線部材２０の一側部を挿入配置する。
【００４１】
この後、図４に示すように、ネジ締め頭部４４を人手又は工具により回転させて、雄ネジ接続部材４０をそれぞれのネジ孔３４ｈ、３６ｈに螺合させていく。すると、被覆削り部４２が被覆部２６に押し当てられつつ回転することになり、被覆部２６が削られていく。削られた被覆部は、粉々になって圧縮され、又は、雄ネジ接続部材４０の周囲の隙間を通って外部に脱していく。削られた被覆部を外部に排出し易くするため、雄ネジ接続部材４０の外周にその軸方向に沿った又は螺旋状の溝が形成されていてもよい。
【００４２】
そして、図５に示すように、被覆部２６が扁平導体２２に接する迄、雄ネジ接続部材４０を回転させて螺合締付けする。この状態では、配線部材２０の両面側から雄ネジ接続部材４０が螺合締付けされるため、配線部材２０の両面側のそれぞれにおいて、雄ネジ接続部材４０が扁平導体２２、２４に押付けられた状態に保たれる。なお、雄ネジ接続部材４０が第１支持部３４及び第２支持部３６の一方側にのみ設けられている場合には、第１支持部３４及び第２支持部３６の他方が配線部材２０のいずれかの主面に押し当てられ、もって、雄ネジ接続部材４０を扁平導体２２、２４に押付けた状態に保つことになる。
【００４３】
なお、被覆削り部４２を、扁平導体２２に接触した状態としては、被覆削り部４２の先端部が扁平導体２２に接した状態と、被覆削り部４２が扁平導体２２をも削り、扁平導体２２内に入り込んだ状態（図５に示す状態）と、これらの中間状態とが想定され、いずれの状態となっていてもよい。被覆削り部４２が扁平導体２２よりも硬い材料で形成されていれば、被覆削り部４２は、扁平導体２２を削ってその内部に進入し易くなる。また、被覆削り部４２を扁平導体２２よりも柔らかい材料で形成し、被覆削り部４２が扁平導体２２に押し当てられた状態でその先端部が潰れて扁平導体２２との接触面積を広げるような構成であってもよい。
【００４４】
そして、図６に示すように、雄ネジ接続部材４０に他の配線部材である電線５０を接続する。ここでは、配線部材２０の両面のそれぞれの雄ネジ接続部材４０において、接続面４４ｆの上に露出芯線部５２を配設し、超音波振動付与部６０を露出芯線部５２に押付けて、当該露出芯線部５２と接続面４４ｆとを超音波接合する。
【００４５】
以上のように構成された配線モジュール１０及び配線接続装置３０によると、雄ネジ接続部材４０をネジ孔３４ｈ、３６ｈに螺合させていくと、先端部の被覆削り部４２が、被覆部２６を削り、扁平導体２２、２４に達すると、当該扁平導体２２、２４に接触した状態に保たれる。このため、被覆部２６を容易に削って、雄ネジ接続部材４０と扁平導体２２とを電気的及び機械的に接続した状態にすることができる。また、この雄ネジ接続部材４０を通じて、扁平導体２２を他の配線部材である電線５０等に容易に接続することができる。
【００４６】
また、被覆削り部４２は、被覆部２６の任意の位置を削ることができるため、配線部材２０に対する配線接続装置３０の取付位置、すなわち、電線５０の接続位置を自由に設定することができる。
【００４７】
また、雄ネジ接続部材４０を螺合締付けした状態で、雄ネジ接続部材４０の接続面４４ｆが接続状態支持フレーム３２の外側に露出しているため、電線５０を容易に雄ネジ接続部材４０の接続面４４ｆに接続することができる。特に、接続面４４ｆは、雄ネジ接続部材４０の軸方向に対して直交する平面であり、露出芯線部５２を任意の姿勢で当該接続面４４ｆに接続することができる。このため、電線５０を容易に任意方向に引出すことができる。
【００４８】
また、配線部材２０は、２層の扁平導体２２、２４を有しており、第１支持部３４と第２支持部３６のそれぞれにネジ孔３４ｈ、３６ｈが形成されており、それぞれのネジ孔３４ｈ、３６ｈに雄ネジ接続部材４０が螺合締付けされるため、２層の扁平導体２２のそれぞれに、別々の雄ネジ接続部材４０を介して、他の配線部材である電線５０を容易に接続することができる。
【００４９】
また、雄ネジ接続部材４０には、非円形状のネジ締め頭部４４が設けられているため、当該ネジ締め頭部４４を利用して、雄ネジ接続部材４０を容易に回転させることができる。
【００５０】
｛変形例｝
なお、上記実施形態では、雄ネジ接続部材４０に電線５０を接続したが、下記のようにしてもよい。
【００５１】
すなわち、第１支持部及び第２支持部を金属等の導電材料により形成すると共に、それらの間の連結部等に絶縁部分を設け、第１支持部及び第２支持部のそれぞれに他の配線部材である電線等を接続するようにしてもよい。また、接続先となる配線部材が１つの扁平導体のみを備える場合には、接続状態支持フレームの全体を金属等の導電材料により形成し、当該接続状態支持フレームに他の配線である電線等を接続してもよい。
【００５２】
なお、上記実施形態及び各変形例で説明した各構成は、相互に矛盾しない限り適宜組合わせることができる。
【００５３】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５４】
１０    配線モジュール
２０    配線部材
２２、２４    扁平導体
２６    被覆部
２８    絶縁層
３０    配線接続装置
３２    接続状態支持フレーム
３４    第１支持部
３６    第２支持部
３４ｈ、３６ｈ    ネジ孔
３８    連結部
４０    雄ネジ接続部材
４２    被覆削り部
４４    ネジ締め頭部
４４ｆ    接続面
５０    電線
【図１】
2018041548.tif 000003
【図２】
2018041548.tif 000004
【図３】
2018041548.tif 000005
【図４】
2018041548.tif 000006
【図５】
2018041548.tif 000007
【図６】
2018041548.tif 000008